(57)【要約】【課題】構成を複雑にすることなく、一の液晶表示装置で解像度がＱＸＧＡおよびＸＧＡの各画像をいずれも表示でき、使い勝手の良好な液晶表示装置を得る。【解決手段】マトリクス状に配置された画素の物理解像度がＱＸＧＡの液晶表示装置であって、解像度がＸＧＡの画像信号の入力によって、その一画素に相当する画像信号を互いに隣接する４個の各画素に供給する。【選択図】      図１
2005003974.tif 000002
【特許請求の範囲】
【請求項１】
マトリクス状に配置された画素の物理解像度がＱＸＧＡの液晶表示装置であって、解像度がＸＧＡの画像信号の入力によって、その一画素に相当する画像信号を互いに隣接する４個の各画素に供給することを特徴とする液晶表示装置。
【請求項２】
液晶を介して対向配置される各基板のうち一方の基板の液晶側の面に、第１方向に延在し該一方向と交差する第２方向に並設されるゲート信号線と第２方向に延在し第１方向に並設されるゲート信号線とで囲まれた領域を画素領域とし、
この画素領域に、片側のゲート信号線からの走査信号によって駆動されるスイッチング素子と、このスイッチング素子を介して片側のドレイン信号線の画像信号が供給される画素電極を備え、物理解像度がＱＸＧＡの液晶表示装置であって、
解像度がＸＧＡの画像信号の入力によって、互いに隣接される２本のゲート信号線に同時に走査信号を供給して走査するとともに、
前記走査信号の供給のタイミングに合わせて、互いに隣接される２画素分のドレイン信号線に同一の画像信号を供給することを特徴とする液晶表示装置。
【請求項３】
入力される解像度ＸＧＡの画像信号は、１：４選択回路を介して各ドレイン信号線の少なくとも一端に接続される映像駆動回路に入力されることを特徴とする請求項２に記載の液晶表示装置。
【請求項４】
前記液晶表示装置はノート型パソコンに組み込まれていることを特徴とする請求項１ないし３のうちいずれかに記載の液晶表示装置。
【発明の詳細な説明】
【０００１】
【発明の属する技術分野】
本発明は液晶表示装置に関する。
【０００２】
【従来の技術】
液晶表示装置は、液晶を介して対向配置された各基板を外囲器とし、該液晶の広がり方向に多数の画素が形成されて構成されている。
画像が表示される表示部の各画素はマトリクス状に配列され、その横方向に１０２４個、縦方向に７６８個の画素が配置されたもの、あるいは、横方向に２０４８個、縦方向に１５３６個の画素が配置されたもの等が知られている。
前者の場合において物理解像度がＸＧＡ、後者の場合において物理解像度がＱＸＧＡのものとして区別されている。
そして、そのいずれにおいても、いわゆるアクティブ・マトリクス型の場合、液晶を介して対向配置される各基板のうち一方の基板の液晶側の面に、たとえばｘ方向に延在しｙ方向に並設されるゲート信号線とｙ方向に延在しｘ方向に並設されるドレイン信号線とで囲まれた領域を画素領域とし、この画素領域に、片側のゲート信号線からの走査信号によって駆動されるスイッチング素子と、このスイッチング素子を介して片側のドレイン信号線の画像信号が供給される画素電極を備えて構成されている。なお、この画素電極はたとえば他方の基板の液晶側の面にて各画素領域に共通に形成される対向電極との間に電界を生じせしめるようになっている。
【０００３】
【発明が解決しようとする課題】
しかし、物理解像度がＱＸＧＡ（２０４８×１５３６）の液晶表示装置では、そのドットピッチが物理解像度ＸＧＡ（１０２４×７６８）のものに比べて１／４（面積比）であることから、たとえばウィンドウズ等のシステムでは、文字あるいはアイコン等が小さくなり、見え難くなったり、操作性が良好でなかった。
また、現状では、解像度ＱＸＧＡの液晶表示装置の専用アプリケーションは、たとえば地図、レントゲン写真等のように、限られたものとなっており、常に使われるものでもない。
一方、物理解像ＸＧＡ（１０２４×７６８）の液晶表示装置は、従来システムで最も活用されている装置として知られている。
このことから、構成を複雑にすることなく、一の液晶表示装置で解像度がＱＸＧＡおよびＸＧＡの各画像を必要に応じていずれも表示できることが要望されていた。
本発明は、このような事情に基づいてなされたものであり、その目的は、使い勝手の良好な液晶表示装置を提供することにある。
【０００４】
【課題を解決するための手段】
本願において開示される発明のうち、代表的なものの概要を簡単に説明すれば、以下のとおりである。
手段１．
本発明による液晶表示装置は、たとえば、マトリクス状に配置された画素の物理解像度がＱＸＧＡの液晶表示装置であって、解像度がＸＧＡの画像信号の入力によって、その一画素に相当する画像信号を互いに隣接する４個の各画素に供給することを特徴とするものである。
【０００５】
手段２．
本発明による液晶表示装置は、たとえば、液晶を介して対向配置される各基板のうち一方の基板の液晶側の面に、第１方向に延在し該一方向と交差する第２方向に並設されるゲート信号線と第２方向に延在し第１方向に並設されるゲート信号線とで囲まれた領域を画素領域とし、この画素領域に、片側のゲート信号線からの走査信号によって駆動されるスイッチング素子と、このスイッチング素子を介して片側のドレイン信号線の画像信号が供給される画素電極を備え、物理解像度がＱＸＧＡの液晶表示装置であって、解像度がＸＧＡの画像信号の入力によって、互いに隣接される２本のゲート信号線に同時に走査信号を供給して走査するとともに、前記走査信号の供給のタイミングに合わせて、互いに隣接される２画素分のドレイン信号線に同一の画像信号を供給することを特徴とするものである。
なお、ここで、“画素”とはカラー表示を行なう場合にはＲ、Ｇ、Ｂからなる３原色のそれぞれの画素群の１組を含む概念である。
【０００６】
手段３．
本発明による液晶表示装置は、たとえば、手段２の構成を前提とし、入力される解像度ＸＧＡの画像信号は、１：４選択回路を介して各ドレイン信号線の少なくとも一端に接続される映像駆動回路に入力されることを特徴とするものである。
【０００７】
手段４．
本発明による液晶表示装置は、たとえば、手段１から３のうちいずれかの構成を前提とし、前記液晶表示装置はノート型パソコンに組み込まれていることを特徴とするものである。
【０００８】
なお、本発明は以上の構成に限定されず、本発明の技術思想を逸脱しない範囲で種々の変更が可能である。
【０００９】
【発明の実施の形態】
以下、本発明による液晶表示装置の実施例を図面を用いて説明をする。
図１は、本発明による液晶表示装置の実施例を示す回路図である。
図１において、まず液晶表示パネルＰＮＬがあり、この液晶表示パネルＰＮＬはその物理解像度がいわゆるＱＸＧＡで構成されている。このため、その画素数は２０４８×１５３６からなり、これらの各画素の集合体によって液晶表示部ＡＲが構成されるようになっている。
【００１０】
また、該液晶表示パネルＰＮＬには走査信号駆動回路Ｖおよび映像信号駆動回路Ｈｅが搭載され、該走査信号駆動回路Ｖはたとえば４個のゲートドライバ（半導体装置）ＧＤから構成され、該映像信号駆動回路Ｈｅもたとえば４個のドレインドライバ（半導体装置）ＤＤから構成されている。
【００１１】
各ゲートドライバＧＤは液晶表示パネルＰＮＬ内をそのｘ方向に走行する３８４（１５３６／４）本のゲート信号線に走査信号を供給するようになっており、各ドレインドライバＤＤはｙ方向に走行する５１２（２０４８／４）本のドレイン信号線に映像信号を供給するようになっている。
【００１２】
なお、各画素はそれに隣接して配置されるゲート信号線への走査信号の供給によりオンされるスイッチング素子を備え、当該画素に隣接して配置されるドレイン信号線から該スイッチング素子を介して当該画素内の画素電極に映像信号が供給されるようになっている。
【００１３】
このように構成される液晶表示パネルＰＮＬには、その走査信号駆動回路Ｖおよび映像信号駆動回路Ｈｅを介して解像度ＱＸＧＡモードの画像データはもちろんのこと、解像度ＸＧＡモードの画像データも入力されるように構成されている。
【００１４】
そして、解像度ＱＸＧＡモードの画像データの入力か、あるいは解像度ＸＧＡの画像データの入力かが判断され、それらに応じて走査信号駆動回路Ｖおよび映像信号駆動回路Ｈｅが適正に駆動され、液晶表示部ＡＲの全域にそれらの画像が表示されるようになっている。
【００１５】
ここで、液晶表示装置に入力される画像データ、すなわち外部コンピュータ（ホストＰＣ）から送られる画像信号が、解像度ＱＸＧＡモードのものであるか、あるいは解像度ＸＧＡモードのものであるかの判断は、種々の方法があるが、たとえば次のような手段を採用することができる。
【００１６】
▲１▼画像信号が送られる外部コンピュータ側で該画像データの解像度がＱＸＧＡモードかＸＧＡモードであることを判別する回路を設け、液晶表示装置側のインターフェースコネクタにその判別信号を受けるモード端子を設ける。
【００１７】
▲２▼ＬＶＤＳ（Ｌｏｗ  Ｖｏｌｔａｇｅ  Ｄｉｆｆｅｒｅｎｔｉａｌ  Ｓｉｇｎａｌｉｎｇ）の動作チャネル数で判断する。解像度ＸＧＡモードのものはＬＶＤＳ／１ｃｈ（１画素インタフェース）に対し、解像度ＱＸＧＡモードのものはＬＶＤＳ／２ｃｈあるいはＬＶＤＳ／４ｃｈの可能性が大きいからである。各ＬＶＤＳのレシーバクロックの動作状態を検出し、動作チャネル数を判断するようにする。なお、必ずしもＬＶＤＳに限らず、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）であっても上述したと同様に判断することができる。
【００１８】
▲３▼仮に、前記ＬＶＤＳの動作チャネル数が解像度ＸＧＡモードのものにあっても解像度ＱＸＧＡモードのものにあっても同じ場合には、ＬＶＤＳ（ＴＭＤＳ）のＤＴＭＧ信号のＨｉｇｈ期間（水平期間当り）をクロックでカウントし、水平解像度が２０４８かあるいは１０２４かでそれらを判断する。
【００１９】
▲４▼１フレーム期間の前記ＬＶＤＳ（ＴＭＤＳ）のＤＴＭＧ信号信号のパルス数をチェックし、垂直解像度が１５３６かあるいは７６８かでそれらを判断する。
【００２０】
（１）解像度ＱＸＧＡモードにおける駆動
上述した手段によって、入力される画像信号がＱＸＧＡモードであると判断された場合に次に示す駆動がなされるようになる。
すなわち、外部コンピュータからの画像信号は、その１画素目から４画素目までがパラレルに入力され、ラインメモリＬＭに格納され、このラインメモリＬＭから２画素分づつドレインドライバＤＤに出力される。
【００２１】
現状のドレインドライバＤＤは２画素入力インタフェースであり、解像度ＧＸＧＡモードの入力クロックは約２４０ＭＨｚより２画素でも１２０ＭＨｚ、４画素でも６０ＭＨｚのため、通常のＣＭＯＳインタフェースでは転送不可能となる。８画素で３０ＭＨｚで３０ＭＨｚとなり、ようやく転送可能領域となる。したがって、ここでは一実施例として、４画素入力、８画素出力を示している。
【００２２】
この場合、走査信号駆動回路Ｖおよび映像信号駆動回路Ｈｅを制御する表示制御回路（ＴＣＯＮ：図示せず）内部の基準クロックは６０ＭＨｚとなる。ここで、前記表示制御回路とドレインドライバＤＤの間を差動信号で接続・動作させると、それらの間を４画素または２画素インタフェースで動作させることは可能である。しかし、各差動システム（ＲＳＤＳ、ｍｉｎｉＬＶＤＳ、ＣＭＤＡＳ等）によりバス構成が異なってくる。
【００２３】
前記ラインメモリＬＭはたとえば前記表示制御回路に組み込まれ、２０４８画素分のメモリを有し、１ライン分のデータを受け取った後に、ドレインドライバＤＤにデータを出力するようになっている。
【００２４】
そのタイミングは図２に示すように、前記ラインメモリＬＭへのアクセスは４画素単位（Ｎｏ．１群、Ｎｏ．２群、Ｎｏ．３群、Ｎｏ．４群）でデータライトを行い、データリードは８画素分のドライバのブロック単位（Ｎｏ．Ａ群からＮｏ．Ｄ群）で同時に行なってドライバに出力するようになっている。
【００２５】
なお、図２において、図２（ａ）はＤＴＭＧ信号、図２（ｂ）は入力データ、図２（ｃ）はラインメモリＬＭへのライト、図２（ｄ）はラインメモリＬＭからのリード、図２（ｅ）はＮｏ．Ａ群およびＮｏ．Ｂ群におけるドレインスタート信号、図２（ｆ）はＮｏ．Ｃ群およびＮｏ．Ｄ群におけるドレインスタート信号、図２（ｇ）はドレインラッチ信号、図２（ｈ）はフレーム信号、図２（ｉ）はゲートシフト信号を示している。
【００２６】
この場合、入力がたとえ２画素の場合でもラインメモリＬＭへのライト処理が異なるのみとなる。たとえば２画素から４画素への並列変換回路を前段に設けるだけで後の処理は同じになる。基準クロックも変更させる必要はなくなる。
【００２７】
この解像度ＱＸＧＡモードでは、走査信号駆動回路Ｖによってゲート信号線ＧＬを選択する場合において、ＤＴＭＧ信号が１パルスにつき一つのゲート信号線ＧＬを選択することになる。
【００２８】
（２）解像度ＸＧＡモードにおける駆動
また、上述した手段により、入力される画像信号がＸＧＡモードであると判断された場合に次に示す駆動がなされるようになる。
【００２９】
この場合、外部コンピュータからの画像信号は、図３に示すように、上述したラインメモリＬＭは使用されず、１：４選択回路ＳＣに入力される。そして、この１：４選択回路ＳＣからは各ドレインドライバＤＤへ２画素分ずつ出力される。ここで、各ドレインドライバＤＤへ出力される２画素のそれぞれは同じ画像信号である。
【００３０】
すなわち、画素インタフェースが１画素の場合、１画素目のデータをＮｏ．１群およびＮｏ．２群に、２画素目のデータをＮｏ．３群およびＮｏ．４群にデータライトされる。
その後は、解像度ＱＧＸＡモードの場合と同様、データリードは８画素分のドライバのブロック単位で同時に行なってドライバへ出力される。
【００３１】
図４は、このタイミングを示す図であり、図４（ａ）はＤＴＭＧ信号、図４（ｂ）は入力データ、図４（ｃ）は１：４選択回路のＮｏ．Ａ群からＮｏ．Ｄ群までの各バスから出力される信号、図４（ｄ）はＮｏ．Ａ群におけるドレインスタート信号、図４（ｅ）はＮｏ．Ｂ群におけるドレインスタート信号、図４（ｆ）はＮｏ．Ｃ群におけるドレインスタート信号、図４（ｇ）はＮｏ．Ｄ群におけるドレインスタート信号、図４（ｈ）はドレインラッチ信号、図４（ｉ）はフレーム信号、図４（ｊ）ゲートシフト信号を示している。
【００３２】
この解像度ＸＧＡモードでは、走査信号駆動回路Ｖによってゲート信号線ＧＬを選択する場合において、ＤＴＭＧ信号が１パルスにつき隣接する二つのゲート信号線ＧＬを選択することになる。
【００３３】
このように構成した液晶表示装置は、解像度ＱＸＧＡモードの画像データの入力、解像度ＸＧＡの画像データの入力に応じて、液晶表示部ＡＲの全域にそれらの画像が表示されるようになる。
【００３４】
【発明の効果】
以上説明したことから明らかとなるように、本発明による液晶表示装置によれば、構成を複雑にすることなく、一の液晶表示装置で解像度がＱＸＧＡおよびＸＧＡの各画像をいずれも表示でき、使い勝手の良好なものを得ることができる。
【図面の簡単な説明】
【図１】本発明による液晶表示装置の一実施例を示す構成図で、入力される画像信号が解像度ＱＸＧＡの場合の動作を示す図である。
【図２】図１に示す動作のタイミングを示す図である。
【図３】本発明による液晶表示装置の一実施例を示す構成図で、入力される画像信号が解像度ＸＧＡの場合の動作を示す図である。
【図４】図３に示す動作のタイミングを示す図である。
【符号の説明】
ＰＮＬ…液晶表示パネル、Ｖ…走査信号駆動回路、ＧＤ…ゲートドライバ、Ｈｅ…映像信号駆動回路、ＤＤ…ドレインドライバ、ＬＭ…ラインメモリ、ＳＣ…１：４選択回路。
【図１】
2005003974.tif 000003
【図２】
2005003974.tif 000004
【図３】
2005003974.tif 000005
【図４】
2005003974.tif 000006